(57)【要約】【課題】高価なウェディングドレスの拡売を図ると共にウェディングドレスの購入者にとっては経済的負担が軽減されることから、高価なウェディングドレスを購入し易い環境が得られるウェディングドレスの販売並びにレンタルシステムを提供する。【解決手段】通信回線９を介してウェディングドレス販売事業体１が複数種類のウェディングドレスをレンタルサービス代行予約権付きの販売価格で販売する事を公開し、ウェディングドレス購入者３が、購入したウェディングドレスを使用後にウェディングドレスレンタル事業体７に対して当該ウェディングドレスをレンタルに出すように依頼し、ウェディングドレスレンタル事業体７その要請に応じて当該ウェディングドレスを通信回線９を介してレンタルに出してレンタル希望者を公募し、レンタル利用者から徴収したレンタル料の一部をウェディングドレス所有者３’に還元する様に構成したウェディングドレスの販売並びにレンタルシステム１。【選択図】図１
2007299111.tif 000002
【特許請求の範囲】
【請求項１】
ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、
当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、
ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、
当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、
当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報が当該通信システムを介して配信される第４の工程、
当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、
当該ウェディングドレス購入希望者からの当該販売情報に対する同意の情報及び当該ウェディングドレス販売事業体が管理する入出金管理システムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、
当該ウェディングドレス購入者と当該ウェディングドレスの商品情報とを当該ウェディングドレス販売事業体が有するレンタルサービス代行予約権付きウェディングドレス所有者リストを記憶する第４の記憶手段に追加記憶させておく第７の工程、
ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス所有者リストに含まれているか否かを判断する第８の工程、
当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金と共に当該ウェディングドレスレンタル事業体がレンタルする事を目的として所有するウェディングドレスレンタル可能商品リストを記憶する第５の記憶手段に記憶される第９の工程、
当該ウェディングドレスレンタル事業体が所有する当該第５の記憶手段に記憶されているレンタル可能なウェディングドレスの商品情報が当該通信システム上で公開される第１０の工程、
ウェディングドレスレンタル希望者からのアクセスに基づいて、当該ウェディングドレスのレンタル希望者に関する情報を当該ウェディングドレスレンタル希望者リストに記憶させると共に、当該レンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、
当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングドレスの試着を実行する日、時間及び試着場所を指定した指示情報並びにレンタル可能日時及び貸し出し場所を指定した指示情報等が当該通信システムを介して配信される第１２の工程、
当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、
当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、
当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、
上記レンタルサービスに関する当該第１０の工程から当該第１５の工程までの各工程が繰り返される第１６の工程、
当該ウェディングドレス所有者からのレンタルサービス停止指示に応答して、当該ウェディングドレスレンタル事業体が所有する当該第５の記憶手段における当該レンタル可能ウェディングドレス及び当該ウェディングドレスの所有者リストから当該ウェディングドレス購入者の情報を削除する第１７の工程、
とから構成されている事を特徴とするウェディングドレスの販売並びにレンタルシステム。
【請求項２】
当該通信システムはインターネットである事を特徴とする請求項１に記載のシステム。
【請求項３】
当該ウェディングドレス販売事業体と当該ウェディングドレスレンタル事業体とは同一の事業体を構成している事を特徴とする請求項１又は２に記載のシステム。
【請求項４】
当該ウェディングドレス販売事業体及び当該ウェディングドレスレンタル事業体が取り扱う当該ウェディングドレスには、靴、手袋、帽子等を含むウェディングドレス関連小物類が含まれるものである事を特徴とする請求項１乃至３の何れかに記載のウェディングドレスの販売並びにレンタルシステム。
【請求項５】
当該第１５の工程には、当該レンタル可能なウェディングドレスとして指定されている当該ウェディングドレスに関し、レンタルに至らなかった場合でも、当該ウェディングドレスに対する当該ウェディングドレスレンタル希望者からのアクセスが有ったと言う情報、当該ウェディングドレスを試着まで行われたと言う情報或いはレンタル状況に応じたレンタル料金の低減情報の少なくとも一つが当該ウェディングドレス所有者に対してフィードバックされる工程が更に含まれている事を特徴とする請求項1乃至４の何れかに記載のウェディングドレスの販売並びにレンタルシステム。
【請求項６】
ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、
当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、
ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、
当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、
当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報を当該通信システムを介して配信される第４の工程、
当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、
当該ウェディングドレス購入希望者からの当該販売情報に対する同意の情報及び当該ウェディングドレス販売事業体が管理する入出金管理システムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、
当該ウェディングドレス購入者と当該ウェディングドレスの商品情報とを当該ウェディングドレス販売事業体が有するウェディングドレス購入者リストを記憶する第４の記憶手段に追加記憶させておく第７の工程、
ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス購入者リストに含まれているか否かを判断する第８の工程、
当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金と共に当該ウェディングドレスレンタル事業体がレンタルする事を目的として所有するウェディングドレスレンタル可能商品リストを記憶する第５の記憶手段に記憶される第９の工程、
当該ウェディングドレスレンタル事業体が所有する当該第５の記憶手段に記憶されているレンタル可能なウェディングドレスの商品情報が当該通信システム上で公開される第１０の工程、
ウェディングドレスレンタル希望者からのアクセスに基づいて、当該ウェディングドレスのレンタル希望者に関する情報を当該ウェディングドレスレンタル希望者リストに記憶させると共に、当該ウェディングドレスレンタル希望者がレンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、
当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングドレスの試着を実行する日、時間及び試着場所を指定した指示情報並びにレンタル可能日時及び貸し出し場所を指定した指示情報等が当該通信システムを介して配信される第１２の工程、
当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、
当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、
当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、
上記レンタルサービスに関する当該第１０の工程から当該第１５の工程までの各工程が繰り返される第１６の工程、
当該ウェディングドレス所有者からのレンタルサービス停止指示に応答して、当該ウェディングドレスレンタル事業体が所有する当該第５の記憶手段における当該レンタル可能ウェディングドレス及び当該ウェディングドレスの所有者リストから当該ウェディングドレス購入者の情報を削除する第１７の工程、
とから構成されている事を特徴とするウェディングドレスの販売並びにレンタル方法。
【請求項７】
当該ウェディングドレス販売事業体及び当該ウェディングドレスレンタル事業体が取り扱う当該ウェディングドレスには、靴、手袋、帽子等を含むウェディングドレス関連小物類が含まれるものである事を特徴とする請求項６に記載のウェディングドレスの販売並びにレンタル方法。
【請求項８】
当該第１５の工程には、当該レンタル可能なウェディングドレスとして指定されている当該ウェディングドレスに関し、レンタルに至らなかった場合でも、当該ウェディングドレスに対する当該ウェディングドレスレンタル希望者からのアクセスが有ったと言う情報、当該ウェディングドレスを試着まで行われたと言う情報或いは、レンタル状況に応じたレンタル料金の低減情報の少なくとも一つが当該ウェディングドレス所有者に対してフィードバックされる工程が更に含まれている事を特徴とする請求項６または７に記載のウェディングドレスの販売並びにレンタル方法。
【請求項９】
ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、
当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、
ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、
当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、
当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報を当該通信システムを介して配信される第４の工程、
当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、
当該ウェディングドレス購入希望者からの当該販売情報に対する同意の情報及び当該ウェディングドレス販売事業体が管理する入出金管理システムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、
当該ウェディングドレス購入者と当該ウェディングドレスの商品情報とを当該ウェディングドレス販売事業体が有するウェディングドレス購入者リストを記憶する第４の記憶手段に追加記憶させておく第７の工程、
ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス購入者リストに含まれているか否かを判断する第８の工程、
当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金と共に当該ウェディングドレスレンタル事業体がレンタルする事を目的として所有するウェディングドレスレンタル可能商品リストを記憶する第５の記憶手段に記憶される第９の工程、
当該ウェディングドレスレンタル事業体が所有する当該第５の記憶手段に記憶されているレンタル可能なウェディングドレスの商品情報が当該通信システム上で公開される第１０の工程、
ウェディングドレスレンタル希望者からのアクセスに基づいて、当該ウェディングドレスのレンタル希望者に関する情報を当該ウェディングドレスレンタル希望者リストに記憶させると共に、当該ウェディングドレスレンタル希望者がレンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、
当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングドレスの試着を実行する日、時間及び試着場所を指定した指示情報並びにレンタル可能日時及び貸し出し場所を指定した指示情報等を当該通信システムを介して配信される第１２の工程、
当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、
当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、
当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、
上記レンタルサービスに関する当該第１０の工程から当該第１５の工程までの各工程が繰り返される第１６の工程、
当該ウェディングドレス所有者からのレンタルサービス停止指示に応答して、当該ウェディングドレスレンタル事業体が所有する当該第５の記憶手段における当該レンタル可能ウェディングドレス及び当該ウェディングドレスの所有者リストから当該ウェディングドレス購入者の情報を削除する第１７の工程、
とから構成されている事を特徴とするウェディングドレスの販売並びにレンタル方法のそれぞれの工程をコンピュータに実行させる為のプログラム。
【請求項１０】
当該ウェディングドレス販売事業体及び当該ウェディングドレスレンタル事業体が取り扱う当該ウェディングドレスには、靴、手袋、帽子等を含むウェディングドレス関連小物類が含まれるものである事を特徴とする請求項９に記載のプログラム。
【請求項１１】
当該第１５の工程には、当該レンタル可能なウェディングドレスとして指定されている当該ウェディングドレスに関し、レンタルに至らなかった場合でも、当該ウェディングドレスに対する当該ウェディングドレスレンタル希望者からのアクセスが有ったと言う情報、当該ウェディングドレスを試着まで行われたと言う情報或いは、レンタル状況に応じたレンタル料金の低減情報の少なくとも一つが当該ウェディングドレス所有者に対してフィードバックされる工程が更に含まれている事を特徴とする請求項９又は１０に記載のプログラム。
【請求項１２】
ウェディングドレス販売システム制御回路部とウェディングドレスレンタルシステム制御回路部とが適宜の通信制御回路部を介して、ウェディングドレス購入希望者若しくはウェディングドレス購入者と適宜の通信システムを介して接続されていると共に、ウェディングドレスレンタル希望者とも適宜の通信システムを介して接続されており、且つ当該ウェディングドレス販売システム制御回路部には、当該ウェディングドレス販売事業体が販売を目的として所有する複数種類のウェディングドレスに関する商品情報並びにレンタルサービス代行予約権付きの販売価格を記憶している第１の記憶手段、ウェディングドレス購入希望者のアドレス情報を含む関連情報を記憶する第２の記憶手段、当該ウェディングドレス販売事業体が所有するウェディングドレスのそれぞれに関する試着可能スケジュールを記憶している第３の記憶手段及びウェディングドレス購入者に関する情報と当該ウェディングドレス購入者が購入した当該ウェディングドレスの商品情報とを含むレンタルサービス代行予約権付きウェディングドレス所有者リストを記憶する第４の記憶手段とが設けられており、当該ウェディングドレスレンタルシステム制御回路部には、当該ウェディングドレスレンタル事業体がレンタルする事を目的として所有するウェディングドレスレンタル可能商品リストを記憶する第５の記憶手段、当該ウェディングドレスレンタル事業体が有する所定のウェディングドレスのそれぞれに関する試着可能スケジュールを記憶している第６の記憶手段及び当該ウェディングドレスレンタル事業体が有する所定のウェディングドレスのそれぞれに関するレンタル可能スケジュールを記憶している第７の記憶手段とが設けられており、更に当該通信制御部には、当該ウェディングドレス販売事業体及び当該ウェディングドレスレンタル事業体が管理制御する入出金管理処理部が設けられており、且つ上記したそれぞれの当該制御回路部及び当該処理部等を集中的に制御する中央演算回路を有している事を特徴とするウェディングドレスの販売並びにそのレンタル実行処理装置。
【請求項１３】
当該ウェディングドレス販売事業体及び当該ウェディングドレスレンタル事業体が取り扱う当該ウェディングドレスには、靴、手袋、帽子等を含むウェディングドレス関連小物類が含まれるものである事を特徴とする請求項１２に記載のウェディングドレスの販売並びにそのレンタル実行処理装置。
【発明の詳細な説明】
【技術分野】
【０００１】
本発明は、ウェディングドレスの販売並びにレンタルを実行させるシステムに関するものであり、特に詳しくは、ウェディングドレスの販売に際して当該ウェディングドレスのレンタルサービス代行予約権付きと言う保証を付してウェディングドレスを販売するシステムに関するものである。
【背景技術】
【０００２】
従来から、ネットワーク上で、特定の商品の賃貸を希望する者と、特定の商品を中古品で購入する者で、当初は当該商品をレンタルで使用してみて、当該商品が良ければ中古品として購入を希望する者とを仲介し、レンタル業者や中古品販売業者に所望の商品がない場合であっても、賃貸希望者と中古品の購入希望者を満足させることの可能な仲介システムが例えば特開２００２−３１２６２２号（特許文献１）に開示されており、当該特許文献１では、当該商品の所有者は、最終的には当該商品を売却する事を目的とするものであり、当該商品は特に特定されていない。
【０００３】
一方、衣料に関する新規な製品を開発した衣料の製造メーカー或いは販売者が、多くの消費者に当該新製品を販売する事を目的として、且つ在庫を抱える事の危険を回避する事を目的として、特定の消費者に特別な割引価格で当該新製品を発注させて、その入金代金で当該新製品を製造した後、当該新製品を発注した当該特定の消費者から所定の期間預かり、レンタルシステムに乗せて、当該新製品をインターネット等で公開すると共に、購入希望者に当該製品をレンタルして試着使用させ、当該レンタル利用者から当該新製品の注文を受けると共に、所定のレンタル期間が終了した後には、当該製品を当初の発注者に返却するシステムが特開２００４−５３３３号（特許文献２）に開示されているが、当該商品は一般の衣料であり、発注者が自分で着用しない前に他人にレンタルする事が前提であるから、当該発注者は中古品を使用する事になるので、感情的にも感覚的にも実用性の無いシステムである事が判る。
【０００４】
更に特開２００３−３０４４５３号（特許文献３）には、ウェディングドレスを購入或いはレンタルを希望する顧客に対して、インターネットを介してウェディングドレスの商品を紹介すると同時に実際に当該顧客が当該ウェディングドレスを試着しなくとも、当該顧客が当該ウェディングドレスを試着した場合の状況を示すシミュレーション画像を顧客若しくはウェディングドレス販売店或いはレンタル店のパソコン上に表示する事によって、当該顧客が当該ウェディングドレスを選択出来る様にしたシステムが開示されているが、当該ウェディングドレスを購入した顧客のその後のサービスに関しては全く開示がない。
【特許文献１】特開２００２−３１２６２２号公報
【特許文献２】特開２００４−５３３３号公報
【特許文献３】特開２００３−３０４４５３号公報
【発明の開示】
【発明が解決しようとする課題】
【０００５】
処で、ウェディングドレスは、一般の衣料製品とは異なり、結婚する女性が一生の記念として出来るだけ豪華なウェディングドレスを選択し、それを購入して結婚式に出席したいと言う意思と希望が強く、同時に当該購入し結婚式で着用した当該ウェディングドレスは一生の記念として保管しておくのが通常であり、二度と使用されることも無く、又他人に貸そうとする意図も発生しないのが通常である。
【０００６】
一方、そのようなウェディングドレスは、一般的に豪華に作られており、シルクを主体とする高級な素材を使用し、且つ有名なデザイナーのデザインをベースにした製品が多く極めて高価であり、親或いは親戚等の援助或いはお祝いとして当該ウェディングドレスを貰う場合を除き結婚する本人自身が自ら用意した費用で高価なウェディングドレスを購入する事はかなり困難である場合が多い。
【０００７】
其処で、上記した高価なウェディングドレスを購入した場合でも、当該ウェディングドレスを、レンタルシステムを利用してレンタルに提供し、当該ウェディングドレスのレンタル使用を利用した者からレンタル料を受け取れる様にすれば、当該ウェディングドレスに支払った金額の一部でも回収できる様になり、当該ウェディングドレスを購入する際の経済的負担が軽減されるので、高価なウェディングドレスを購入し易い環境が出来、ウェディングドレスの販売の促進に寄与できる事になる他、当該ウェディングドレスを購入したいと希望する者にとっては当該ウェディングドレスをアップグレードする事も可能となると言う双方の希望が実現出来る事になる。
【０００８】
本発明は、係る従来の問題点を改良し、上記した可能性の実現を目指す事を目的とするものである。
【課題を解決するための手段】
【０００９】
本発明は、以上の課題を解決することを目的とするものであって、具体例には、以下に示す様な基本的な技術構成を採用したものである。
【００１０】
即ち、本発明は、基本的には、所定のウェディングドレスを販売するに際し、当該ウェディングドレスに付いて将来希望があればレンタルに出してレンタル料を受け取れると言うレンタル代行サービスを行う事を保証するレンタル代行サービスの予約権を付けて販売すると言うインターネット等の通信システムを活用した販売システムであって、より具体的には、本発明の第1の態様としては、ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報を当該通信システムを介して配信される第４の工程、当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、当該ウェディングドレス購入希望者からの当該販売情報に対する同意の情報及び当該ウェディングドレス販売事業体が管理する入出金管理シ��テムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、当該ウェディングドレス購入者と当該ウェディングドレスの商品情報とを当該ウェディングドレス販売事業体が有するウェディングドレス購入者リストを記憶する第４の記憶手段に追加記憶させておく第７の工程、ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス購入者リストに含まれているか否かを判断する第８の工程、当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金及び必要によってはレンタル条件等と共に当該ウェディングドレスレンタル事業体がレンタルする事を目的として所有するウェディングドレスレンタル可能商品リストを記憶する第５の記憶手段に記憶される第９の工程、当該ウェディングドレスレンタル事業体が所有する当該第５の記憶手段に記憶されているレンタル可能なウェディングドレスの商品情報が当該通信システム上で公開される第１０の工程、ウェディングドレスレンタル希望者からのアクセスに基づいて、当該ウェディングドレスのレンタル希望者に関する情報を当該ウェディングドレスレンタル希望者リストに記憶させると共に当該ウェディングドレスレンタル希望者がレンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングド��スの試着を実行する日、時間及び試着場所を指定した指示情報並びにレンタル可能日時及び貸し出し場所を指定した指示情報等を当該通信システムを介して配信される第１２の工程、当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、上記レンタルサービスに関する当該第１０の工程から当該第１５の工程までの各工程が繰り返される第１６の工程、当該ウェディングドレス所有者からのレンタルサービス停止指示に応答して、当該ウェディングドレスレンタル事業体が所有する当該第５の記憶手段における当該レンタル可能ウェディングドレスリスト及び当該ウェディングドレスの所有者リストから当該ウェディングドレス及び当該ウェディングドレス購入者の情報を削除する第１７の工程、とから構成されている事を特徴とするウェディングドレスの販売並びにレンタルシステムである。
【００１１】
又、本発明に於ける第２の態様としては、ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報を当該通信システムを介して配信される第４の工程、当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、当該ウェディングドレス購入希望者からの当該販売情報に対する同意の情報及び当該ウェディングドレス販売事業体が管理する入出金管理システムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、当該ウェディングドレス購入者と当該ウェディングドレスの商品情報とを当該ウェディングドレス販売事業体が有するウェディングドレス購入者リストを記憶する第４の記憶手段に追加記憶させておく第７の工程、ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス購入者リストに含まれているか否かを判断する第８の工程、当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金と共に当該ウェディングドレスレンタル事業体がレンタルする事を目的として所有するウェディングドレスレンタル可能商品リストを記憶する第５の記憶手段に記憶される第９の工程、当該ウェディングドレスレンタル事業体が所有する当該第５の記憶手段に記憶されているレンタル可能なウェディングドレスの商品情報が当該通信システム上で公開される第１０の工程、ウェディングドレスレンタル希望者からのアクセスに基づいて、当該ウェディングドレスのレンタル希望者に関する情報を当該ウェディングドレスレンタル希望者リストに記憶させると共に当該ウェディングドレスレンタル希望者がレンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングドレスの試着を実行する日、時間及び試着場所を指定した指示情報並びにレンタル可能日時及び貸し出し場所を指定した指示情報等を当該通信システムを介して配信される第１２の工程、当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、上記レンタルサービスに関する当該第１０の工程から当該第１５の工程までの各工程が繰り返される第１６の工程、当該ウェディングドレス所有者からのレンタルサービス停止指示に応答して、当該ウェディングドレスレンタル事業体が所有する当該第５の記憶手段における当該レンタル可能ウェディングドレスリスト及び当該ウェディングドレスの所有者リストから当該ウェディングドレス及び当該ウェディングドレス購入者の情報を削除する第１７の工程、とから構成されている事を特徴とするウェディングドレスの販売並びにレンタル方法である。
【００１２】
更に、本発明に於ける第３の態様としては、ウェディングドレスを販売するウェディングドレス販売事業体が所有する通信機能を有する通信端末と、ウェディングドレス購入希望者若しくはウェディングドレス購入者が所有する通信機能を有する通信端末と、ウェディングドレスのレンタル使用を希望するウェディングドレスレンタル希望者が所有する通信機能を有する通信端末と、ウェディングドレスのレンタルサービスを実行するウェディングドレスレンタル事業体が所有する通信機能を有する通信端末とが、適宜の通信回線を介して相互に接続されている通信システムに於いて、当該ウェディングドレス販売事業体が販売を目的として所有する複数種類のウェディングドレスを記憶している第１の記憶手段から適宜選択された複数種類のウェディングドレスに関する商品データを当該通信システム上に公開する第１の工程、ウェディングドレス購入希望者から当該通信システムを介して当該ウェディングドレス販売事業体にアクセスがあった場合には、当該ウェディングドレス購入希望者のアドレス情報を含む関連情報を当該ウェディングドレス販売事業体が有するウェディングドレス購入希望者リストを記憶している第２の記憶手段に追加記録する第２の工程、当該ウェディングドレス購入希望者が指定してきた購入希望のウェディングドレスに関するレンタルサービス代行予約権付きの販売価格を含むより詳細な商品データを当該第１の記憶手段から選択して、当該選択された情報が当該通信システムを介して当該ウェディングドレス購入希望者に配信される第３の工程、当該ウェディングドレス購入希望者からの当該指定されたウェディングドレスに関する試着希望の情報に基づいて、当該ウェディングドレス販売事業体が所有するウェディングドレスのそれぞれに関する試着可能スケジュールを記憶している第３の記憶手段から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者に対して当該ウェディングドレスの試着を実行する日、時間及び試着場所等を指定した指示情報を当該通信システムを介して配信される第４の工程、当該ウェディングドレス購入希望者による当ウェディングドレスの試着後、当該通信システムを介して当該ウェディングドレス購入希望者からの当該ウェディングドレスの購入希望に基づいて、当該ウェディングドレスの商品情報及びレンタルサービス代行予約権付きの販売価格等を含む販売情報が当該通信システムを介して当該ウェディングドレス購入希望者に配信される第５の工程、当該ウェディングドレス購入希望者からの当該販売情報に対する同意の情報及び当該ウェディングドレス販売事業体が管理する入出金管理システムに当該ウェディングドレス購入希望者からの当該販売価格に対応する金額の入金が有った事の情報とに基づいて、当該ウェディングドレス販売事業体から当該ウェディングドレス購入希望者に対して、当該指定されたウェディングドレスを引き渡す日時、場所を指定する指示情報が配信されそれに基づいて当該ウェディングドレスがウェディングドレス購入希望者への引き渡しが実行される第６の工程、当該ウェディングドレス購入者と当該ウェディングドレスの商品情報とを当該ウェディングドレス販売事業体が有するウェディングドレス購入者リストを記憶する第４の記憶手段に追加記憶させておく第７の工程、ウェディングドレス所有者から当該ウェディングドレス所有者の所有するウェディングドレスをレンタルに出したいとの要請に応答して、当該ウェディングドレス所有者が当該第４の記憶手段に登録されているレンタルサービス代行予約権付きのウェディングドレス購入者リストに含まれているか否かを判断する第８の工程、当該ウェディングドレスをレンタルする事を希望するウェディングドレス所有者が、当該第４の記憶手段の当該レンタルサービス代行予約権所有者リストに含まれている場合に、当該通信システムを介して、当該ウェディングドレス販売事業体からウェディングドレスレンタル事業体に対して当該ウェディングドレス所有者の情報と当該ウェディングドレスに関する商品情報とが配信され、当該各情報がレンタル料金及び必要によってはレンタル条件等と共に当該ウェディングドレスレンタル事業体がレンタルする事を目的として所有するウェディングドレスレンタル可能商品リストを記憶する第５の記憶手段に記憶される第９の工程、当該ウェディングドレスレンタル事業体が所有する当該第５の記憶手段に記憶されているレンタル可能なウェディングドレスの商品情報が当該通信システム上で公開される第１０の工程、ウェディングドレスレンタル希望者からのアクセスに基づいて、当該ウェディングドレスのレンタル希望者に関する情報を当該ウェディングドレスレンタル希望者リストに記憶させると共に当該ウェディングドレスレンタル希望者がレンタルを希望する所定のウェディングドレスに関する商品情報の詳細をレンタル料及びレンタル条件等を含めて当該第５の記憶手段から選択されて、その情報が当該ウェディングドレスレンタル希望者に当該通信システムを介して配信される第１１の工程、当該ウェディングドレスレンタル希望者からの当該指定されたウェディングドレスに関する試着希望の情報に基づいて、当該ウェディングドレスレンタル事業体が有する所定のウェディングドレスのそれぞれに関する試着可能スケジュールを記憶している第６の記憶手段から当該ウェディングドレスの試着可能日時、試着可能場所等の情報が選択決定され、且つ当該ウェディングドレスレンタル事業体が有する所定のウェディングドレスのそれぞれに関するレンタル可能スケジュールを記憶している第７の記憶手段から当該ウェディングドレスのレンタル可能日時、貸し出し可能場所が選択決定され、当該選択された情報が当該ウェディングドレスレンタル希望者に対して配信された後、当該ウェディングドレスレンタル希望者からの同意の情報に基づいて当該ウェディングドレスの試着を実行する日、時間及び試着場所を指定した指示情報並びにレンタル可能日時及び貸し出し場所を指定した指示情報等を当該通信システムを介して配信される第１２の工程、当該ウェディングドレスレンタル希望者による当ウェディングドレスの試着後、当該通信システムを介して当該ウェディングドレスレンタル希望者からの当該ウェディングドレスのレンタル希望情報に基づいて、当該ウェディングドレスのレンタル実行日時並びにレンタル場所に関する指定情報が当該通信システムを介して当該ウェディングドレスレンタル希望者に配信される第１３の工程、当該ウェディングドレスレンタル事業体に於いて当該ウェディングドレスレンタル希望者からのレンタル料金の入金が当該通信システムを介して入出金管理システムにおいて確認された場合に、当該ウェディングドレスのレンタルを当該ウェディングドレスレンタル希望者に対して実行する為の指示情報が当該通信システムを介して当該ウェディングドレスレンタル希望者に配信されると共に、当該ウェディングドレスのレンタルが実行される第１４の工程、当該ウェディングドレスのレンタルの実行に応答して、当該ウェディングドレスレンタル事業体が有する当該第５の記憶手段から、当該ウェディングドレスの所有者の情報が選択され、当該ウェディングドレスレンタル事業体から直接或いは当該ウェディングドレス販売事業体を介して当該選択されたウェディングドレス所有者のアドレスに対して当該ウェディングドレスのレンタル情報が当該通信システムを介して配信されると共に、当該入出金管理システムを介して、当該ウェディングドレスに関するレンタル料金の一部が当該ウェディングドレス所有者の予め指定された銀行口座に送金される第１５の工程、上記レンタルサービスに関する当該第１０の工程から当該第１５の工程までの各工程が繰り返される第１６の工程、当該ウェディングドレス所有者からのレンタルサービス停止指示に応答して、当該ウェディングドレスレンタル事業体が所有する当該第５の記憶手段における当該レンタル可能ウェディングドレスリスト及び当該ウェディングドレスの所有者リストから当該ウェディングドレス及び当該ウェディングドレス購入者の情報を削除する第１７の工程、とから構成されている事を特徴とするウェディングドレスの販売並びにレンタル方法のそれぞれの工程をコンピュータに実行させる為のプログラムである。
【００１３】
又、本発明に於ける第４の態様としては、ウェディングドレス販売システム制御回路部とウェディングドレスレンタルシステム制御回路部とが適宜の通信制御回路部を介して、ウェディングドレス購入希望者若しくはウェディングドレス購入者と適宜の通信システムを介して接続されていると共に、ウェディングドレスレンタル希望者とも適宜の通信システムを介して接続されており、且つ当該ウェディングドレス販売システム制御回路部には、当該ウェディングドレス販売事業体が販売を目的として所有する複数種類のウェディングドレスに関する商品情報並びにレンタルサービス代行予約権付きの販売価格を記憶している第１の記憶手段、ウェディングドレス購入希望者のアドレス情報を含む関連情報を記憶する第２の記憶手段、当該ウェディングドレス販売事業体が所有するウェディングドレスのそれぞれに関する試着可能スケジュールを記憶している第３の記憶手段及びウェディングドレス購入者に関する情報と当該ウェディングドレス購入者が購入した当該ウェディングドレスの商品情報とを含むレンタルサービス代行予約権付きウェディングドレス所有者リストを記憶する第４の記憶手段とが設けられており、当該ウェディングドレスレンタルシステム制御回路部には、当該ウェディングドレスレンタル事業体がレンタルする事を目的として所有するウェディングドレスレンタル可能商品リストを記憶する第５の記憶手段、当該ウェディングドレスレンタル事業体が有する所定のウェディングドレスのそれぞれに関する試着可能スケジュールを記憶している第６の記憶手段及び当該ウェディングドレスレンタル事業体が有する所定のウェディングドレスのそれぞれに関するレンタル可能スケジュールを記憶している第７の記憶手段とが設けられており、更に当該通信制御部には、当該ウェディングドレス販売事業体及び当該ウェディングドレスレンタル事業体が管理制御する入出金管理処理部が設けられており、且つ上記したそれぞれの当該制御回路部及び当該処理部等を集中的に制御する中央演算回路を有している事を特徴とするウェディングドレスの販売並びにそのレンタル実行処理装置である。
【発明の効果】
【００１４】
本発明に於ける当該ウェディングドレスの販売並びにレンタルシステム及びこれに関連するそれぞれの発明に於いては、上記した様な新規な技術構成を採用しているので、当該ウェディングドレス販売事業体にとっては、販売しようとしているウェディングドレスの販売量を拡大する事が可能となると同時に、当該ウェディングドレスのウェディングドレス購入希望者にとっては、経済的負担を軽減でき又同じ経済的負担であれば当該ウェディングドレスのアップグレード化を図る事が可能となるばかりでなく、ウェディングドレス購入者が特別の思い出と愛着を持っている当該ウェディングドレスのその後の利用状況について情報が得られる事から安心感を持ってレンタルに出しておく事が出来ると言う作用効果を有するものである。
【００１５】
又、当該ウェディングドレスのレンタルを希望する利用者にとっては、レンタル可能対象商品の数が豊富となるのでより希望するウェディングドレスのレンタルが可能となる他、レンタルに要する手続きがより簡素化されるという利点がある。
【発明を実施するための最良の形態】
【００１６】
以下に、本発明にかかるウェディングドレスの販売並びにレンタルシステム及びそれに関連する発明の、それぞれの具体例の構成を図面を参照しながら詳細に説明する。
【００１７】
即ち、図１は、本発明に於ける当該第1の態様に係るウェディングドレスの販売並びにレンタルシステムの一具体例の構成を示す図であり、図中、ウェディングドレスを販売するウェディングドレス販売事業体１が所有する通信機能を有する通信端末２と、ウェディングドレス購入希望者３若しくはウェディングドレス購入者３’が所有する通信機能を有する通信端末４と、ウェディングドレスのレンタル使用を希望するウェディングドレスレンタル希望者５が所有する通信機能を有する通信端末６と、ウェディングドレスのレンタルサービスを実行するウェディングドレスレンタル事業体７が所有する通信機能を有する通信端末８とが、適宜の通信回線９を介して相互に接続されている通信システム１０に於いて、当該ウェディングドレス販売事業体１が販売を目的として所有する複数種類のウェディングドレスを記憶している第１の記憶手段１１から適宜選択された複数種類のウェディングドレスに関する商品データを当該通信システム上に公開する第１の工程、ウェディングドレス購入希望者３から当該通信システム１０を介して当該ウェディングドレス販売事業体１にアクセスがあった場合には、当該ウェディングドレス購入希望者３のアドレス情報を含む関連情報を当該ウェディングドレス販売事業体１が有するウェディングドレス購入希望者３リストを記憶している第２の記憶手段１２に追加記録する第２の工程、当該ウェディングドレス購入希望者３が指定してきた購入希望のウェディングドレスに関するレンタルサービス代行予約権付きの販売価格を含むより詳細な商品データを当該第１の記憶手段１１から選択して、当該選択された情報が当該通信システム１０を介して当該ウェディングドレス購入希望者３に配信される第３の工程、当該ウェディングドレス購入希望者３からの当該指定されたウェディングドレスに関する試着希望の情報に基づいて、当該ウェディングドレス販売事業体１が所有するウェディングドレスのそれぞれに関する試着可能スケジュールを記憶している第３の記憶手段１３から当該ウェディングドレスの試着可能日時、試着可能場所等の情報が選択決定され、当該試着希望のウェディングドレス購入希望者へ当該選択された情報が配信された後、当該ウェディングドレス試着希望者の同意の情報に基づいて、当該ウェディングドレス購入希望者３に対して当該ウェディングドレスの試着を実行する日、時間及び試着場所等を指定した指示情報が当該通信システム１０を介して配信される第４の工程、当該ウェディングドレス購入希望者３による当ウェディングドレスの試着後、当該通信システム１０を介して当該ウェディングドレス購入希望者３からの当該ウェディングドレスの購入希望に基づいて、当該ウェディングドレスの商品情報及びレンタルサービス代行予約権付きの販売価格等を含む販売情報が当該通信システム１０を介して当該ウェディングドレス購入希望者３に配信される第５の工程、当該ウェディングドレス購入希望者３からの当該販売情報に対する同意の情報及び当該ウェディングドレス販売事業体が管理する入出金管理システム１４に当該ウェディングドレス購入希望者３からの当該販売価格に対応する金額の入金が有ったとの情報とに基づいて、当該ウェディング��レス販売事業体１から当該ウェディングドレス購入希望者３に対して、当該指定されたウェディングドレスを引き渡す日時、場所を指定する指示情報が配信され、それに基づいて当該ウェディングドレスがウェディングドレス購入希望者３への引き渡しが実行される第６の工程、当該ウェディングドレス購入者名３’と当該ウェディングドレスの商品情報とを当該ウェディングドレス販売事業体１が有する当該レンタルサービス代行予約権付きウェディングドレス所有者リストを記憶する第４の記憶手段１５に追加記憶させておく第７の工程、当該ウェディングドレス所有者３’から当該ウェディングドレス所有者３’の所有するウェディングドレスをレンタルに出したいとの要請に応答して、当該ウェディングドレス所有者３’が当該第４の記憶手段１５に登録されているレンタルサービス代行予約権付きウェディングドレス所有者リストに含まれているか否かを判断する第８の工程、当該ウェディングドレスをレンタルする事を希望するウェディングドレス所有者３’が、当該第４の記憶手段１５の当該レンタルサービス代行予約権付きウェディングドレス所有者リストに含まれている場合に、当該通信システム１０を介して、当該ウェディングドレス販売事業体１からウェディングドレスレンタル事業体７に対して当該ウェディングドレス所有者３’の情報と当該ウェディングドレスに関する商品情報とが配信され、当該各情報がレンタル料金及び必要によってはレンタル条件等と共に当該ウェディングドレスレンタル事業体７がレンタルする事を目的として所有するウェディングドレスレンタル可能商品リストを記憶する第５の記憶手段１６に記憶される第９の工程、当該ウェディングドレスレンタル事業体７が所有する当該第５の記憶手段１６に記憶されているレンタル可能なウェディングドレスの商品情報が当該通信システム上で公開される第１０の工程、ウェディングドレスレンタル希望者５からのアクセスに基づいて、当該ウェディングドレスのレンタル希望者に関する情報を当該ウェディングドレスレンタル希望者リストに記憶させると共に当該ウェディングドレスレンタル希望者５に関する情報を第８の記憶手段１９に記憶すると同時に、当該ウェディングドレスレンタル希望者５がレンタルを希望する所定のウェディングドレスに関する商品情報の詳細をレンタル料及び必要によってはレンタル条件等を含めて当該第５の記憶手段１６から選択されて、その情報が当該ウェディングドレスレンタル希望者５に当該通信システム１０を介して配信される第１１の工程、当該ウェディングドレスレンタル希望者５からの当該指定されたウェディングドレスに関する試着希望の情報に基づいて、当該ウェディングドレスレンタル事業体７が有する所定のウェディングドレスのそれぞれに関する試着可能スケジュールを記憶している第６の記憶手段１７から当該ウェディングドレスの試着可能日時、試着可能場所等の情報が選択決定され、且つ当該ウェディングドレスレンタル事業体７が有する所定のウェディングドレスのそれぞれに関するレンタル可能スケジュールを記憶している第７の記憶手段１８ら当該ウェディングドレスのレンタル可能日時、貸し出し可能場所が選択決定され、当該選択された情報が当該ウ��ディングドレスレンタル希望者に対して配信された後、当該ウェディングドレスレンタル希望者からの当該試着情報に対する同意の情報に基づいて、当該ウェディングドレスレンタル希望者５に対して当該ウェディングドレスの試着を実行する日、時間及び試着場所を指定した指示情報並びにレンタル可能日時及び貸し出し場所を指定した指示情報等が当該通信システム１０を介して配信される第１２の工程、当該ウェディングドレスレンタル希望者５による当ウェディングドレスの試着後、当該通信システム１０を介して当該ウェディングドレスレンタル希望者５からの当該ウェディングドレスのレンタル希望確定情報に基づいて、当該ウェディングドレスのレンタル実行日時並びにレンタル場所に関する指定情報が当該通信システム１０を介して当該ウェディングドレスレンタル希望者に配信される第１３の工程、当該ウェディングドレスレンタル事業体７に於いて当該ウェディングドレスレンタル希望者５からのレンタル料金の入金が当該通信システム１０を介して入出金管理システム１４において確認された場合に、当該ウェディングドレスのレンタルを当該ウェディングドレスレンタル希望者に対して実行する為の指示情報が当該通信システム１０を介して当該ウェディングドレスレンタル希望者５に配信されると共に、当該ウェディングドレスのレンタルが実行される第１４の工程、当該ウェディングドレスのレンタルの実行に応答して、当該ウェディングドレスレンタル事業体７が有する当該第５の記憶手段１６から、当該ウェディングドレスの購入者（所有者）３’の情報が選択され、当該ウェディングドレスレンタル事業体７から直接或いは当該ウェディングドレス販売事業体１を介して当該選択されたウェディングドレス所有者３’のアドレスに対して当該ウェディングドレスのレンタル情報が当該通信システム１０を介して配信されると共に、当該入出金管理システム１４を介して、当該ウェディングドレスに関する予め当事者間で設定されたレンタル料金が当該ウェディングドレス所有者３’の予め指定された銀行口座に送金される第１５の工程、上記レンタルサービスに関する当該第１０の工程から当該第１５の工程までの各工程が繰り返される第１６の工程、当該ウェディングドレス所有者３’からのレンタルサービス停止指示に応答して、当該ウェディングドレスレンタル事業体が所有する当該第５の記憶手段１６における当該レンタル可能ウェディングドレス及び当該ウェディングドレスの所有者３’リストから当該ウェディングドレス及び当該ウェディングドレスの所有者３’の情報を削除する第１７の工程とから構成されているウェディングドレスの販売並びにレンタルシステム１が示されている。
【００１８】
本発明に於ける上記ウェディングドレスの販売並びにレンタルシステム１に於いては当該通信システムはインターネットである事が好ましい具体例である。
【００１９】
又、上記した本発明に係る当該ウェディングドレスの販売並びにレンタルシステム１に於いては、当該ウェディングドレス販売事業体１と当該ウェディングドレスレンタル事業体７とは同一の事業体を構成しているものであっても良く、その場合には、上記した第４の記憶手段１５及び第５の記憶手段１６とは同一のもので有っても良い。
【００２０】
更に、その場合には、当該入出金管理システム１４も共通のもので有っても良い。
【００２１】
又、上記本発明に於いて使用されるそれぞれの通信端末２、４、６、８等は、適宜のサーバー、パソコン、携帯電話、ＰＤＡ等の何れかで構成されているものであっても良く、データ並びに画像データを表示出来る表示手段を有しているものである事が望ましい。
【００２２】
尚、本発明に於ける当該ウェディングドレスのレンタル料金は、当該ウェディングドレスレンタル事業体が自主的に設定するものであり、当該設定されたレンタル料金の内、当該ウェディングドレスをレンタルに出している当該ウェディングドレスの所有者が受け取るレンタル料金は、その一部であって、その割合は主に当該ウェディングドレスレンタル事業体が設定することになるが、両者が協議して契約の上決定する事も可能である。
【００２３】
又、当該レンタル料金は、当該ウェディングドレス販売事業体から所定のウェディングドレス等を購入した当該ウェディングドレス等の所有者が当該レンタルサービス代行予約権を行使する場合に適用されるものであるが、上記に該当しないウェディングドレス等の所有者が本発明に係るレンタル制度を利用したい場合には、その上記に該当しないウェディングドレス等の所有者が受け取れる当該レンタル料金は、本発明に於ける通常のレンタル料金よりも低く設定される事が好ましい。
【００２４】
尚、本発明に於ける当該第１５の工程に於いては、当該レンタル可能なウェディングドレスとして指定されている当該ウェディングドレスに関し、レンタルに至らなかった場合でも、当該ウェディングドレスに対する当該ウェディングドレスレンタル希望者５からのアクセスが有ったと言う情報或いは、当該ウェディングドレスが試着まで行われた情報と言う情報、更には、各種のレンタル状況に応じて所定のウェディングドレスに対する当該レンタル料金は、低下する事を説明するレンタル料金低減情報の少なくとも一つが当該ウェディングドレス購入者（所有者）３’に対してフィードバックされる工程が更に含まれている事が望ましい。
【００２５】
又、本発明に於いては、当該ウェディングドレス販売事業体或いは当該ウェディングドレスレンタル事業体が取り扱う商品としては当該ウェディングドレスのみに限られるものではなく、ウェディングドレス関連小物類を含ませる事も可能である。
【００２６】
当該ウェディングドレス関連小物類としては、例えば、靴、手袋、帽子、ベール、プーケ、リングピロー、ポーチ、ペチコート、或いはネックレス、イヤリング、ティアラ等のアクセサリー等が含まれるものである。
【００２７】
従って、本発明に於いては、当該ウェディングドレス販売事業体は、ウェディングドレス単独、ウェディングドレス関連小物類単独或いはウェディングドレスとウェディングドレス関連小物類との組み合わせを販売形態として実行する事が出来る。
【００２８】
勿論、当該ウェディングドレス関連小物類に於いて試着不可能なもの或いは試着が希望されないものに関しては、当然上記した試着工程は省略されるものである。
【００２９】
同様に、当該ウェディングドレスレンタル事業体でも、当該レンタル商品として、ウェディングドレス単独、ウェディングドレス関連小物類単独或いはウェディングドレスとウェディングドレス関連小物類との組み合わせをレンタル形態として実行する事が出来る。
【００３０】
又、本発明に於ける当該ウェディングドレス販売事業体では、原則として全ウェディングドレス商品及び全当該ウェディングドレス関連小物類商品に対してレンタルサービス代行予約権付きサービスを付して販売する事を特徴とするものであり、当該各商品の販売価格には、将来に於けるレンタルサービス費用が含まれている事が望ましいが、これに限定されるものではない。
【００３１】
又、当該ウェディングドレス或いは当該ウェディングドレス関連小物類を購入した所有者は、後日当該レンタルサービス代行予約権を行使するか否かは本人の自由な判断に任されるものであり、レンタルを必要としない所有者は、当該レンタルサービス代行予約権を行使しなければ良く、又、当初は当該レンタルサービス代行予約権を行使したくないと考えていた所有者或いは一旦レンタルサービスを利用した後に当該レンタルサービスの利用を中止した所有者でも、後日、当該レンタルサービスを受けたいと考える様になった場合には、その時点で当該レンタルサービス代行予約権を行使すれば良い。
【００３２】
そのために、当該ウェディングドレス等のレンタル料金に差をつけるか否かは当該ウェディングドレス販売事業体の判断に委ねられる事になる。
【００３３】
一方、本発明に於いて、ウェディングドレスの所有者であるが、当該ウェディングドレス販売事業体から当該ウェディングドレスを購入していない場合、或いは、以前に当該ウェディングドレス販売事業体からウェディングドレス等を購入した実績はあるが、今回レンタルに出したいウェディングドレスは別の販売業者から購入したものである場合に、当該ウェディングドレス販売事業体が本発明のレンタルシステムを利用させるか否かは、本発明の範囲外となるが、当該ウェディングドレス販売事業体が独自に判断する事が出来る。
【００３４】
同様に、当該ウェディングドレスレンタル事業体に於いては、その取り扱うレンタル可能なウェディングドレス及びウェディングドレス関連小物類は、原則として、当該ウェディングドレス販売事業体が販売したものを扱うものであるが、当該ウェディングドレスレンタル事業体が自らレンタルするものとして所有しているウェディングドレスやウェディングドレス関連小物類をインターネットで合わせ公開する事は可能である。
【００３５】
処で、本発明に於いて使用される第１の記憶手段１１に記憶されている情報の一例を図２に示す。
【００３６】
即ち、第１の記憶手段１１には、当該ウェディングドレス販売事業体１が販売する為に所有しているウェディングドレス及び／又はウェディングドレス関連小物類に関する商品番号、デザインの種類或いは外観、素材、寸法、写真（画像データ）、レンタルサービス予約権付きの販売価格、納入可能時期等がリスト化されて記載されている。
【００３７】
又、本発明に於いて使用される第２の記憶手段１２に記憶されている情報の一例を図３に示す。
【００３８】
即ち、第２の記憶手段１２には、当該ウェディングドレス購入希望者の氏名、住所、電話番号、ファックス番号、Ｅ−メイルアドレス、希望ウェディングドレスの商品番号、ウェディングドレス購入希望者の体型、及び結婚予定年月日或いは当該ウェディングドレス関連小物類を組み合わせて購入する希望がある場合にはそれらの情報等がリスト化されている。
【００３９】
更には、当該購入者がウェディングドレス関連小物類のみを購入する事を希望している場合には、その情報をリスト化する。
【００４０】
又、本発明に於いて使用される第３の記憶手段１３に記憶されている情報の一例を図４に示す。
【００４１】
即ち、第３の記憶手段１３には、当該ウェディングドレス販売事業体１が所有している複数種のウェディングドレスのそれぞれに関して試着可能日、試着可能時間及び試着可能場所等の情報が記載されているものである。
【００４２】
更に、本発明に於いて使用される第４の記憶手段１５に記憶されている情報の一例を図５に示す。
【００４３】
即ち、第４の記憶手段１５には、例えば、ウェディングドレスを購入したウェディングドレス購入者即ちウェディングドレスの所有者３’のそれぞれに於ける氏名、住所、電話番号、ファックス番号、Ｅ−メイルアドレス、購入したウェディングドレスの商品番号、及びウェディングドレス関連小物類を合わせて購入したか否かの情報等リスト化されている。
【００４４】
又、ウェディングドレス関連小物類のみを購入した所有者に関しては別途にリストが形成される。
【００４５】
一方、本発明に於いて使用される第５の記憶手段１５に記憶されている情報の一例を図６に示す。
【００４６】
即ち、第５の記憶手段１６には、当該ウェディングドレスレンタル事業体７がレンタルを目的として所有するウェディングドレスに関する商品番号、デザインの種類或いは外観、素材、寸法、写真（画像データ）レンタル価格等がリスト化されて記載されている。
【００４７】
又、ウェディングドレス関連小物類のみを購入した所有者がレンタルを希望している場合に関しては別途にリストが形成される。
【００４８】
当該リストには、基本的には当該ウェディングドレス販売事業体からウェディングドレス等を購入したウェディングドレス等の所有者の所有商品が記録されているものであるが、当該ウェディングドレスレンタル事業体自ら所有するウェディングドレス等の商品が含まれていても良い。
【００４９】
又、本発明に於いて使用される第８の記憶手段１９に記憶されている情報の一例を図８に示す。
【００５０】
即ち、当該第８の記憶手段１９には、例えば、ウェディングドレスのレンタルを希望するウェディングドレスレンタル希望者５の氏名、住所、電話番号、ファックス番号、Ｅ−メイルアドレス、レンタルを希望するウェディングドレスの商品番号、ウェディングドレスレンタル希望者５の体型、ウェディングドレス関連小物類を合わせてレンタルの希望が出されているか否かの情報及びレンタル希望年月日等がリスト化されている。
【００５１】
又、ウェディングドレス関連小物類のみを購入した所有者がレンタルを希望している場合に関しては別途にリストが形成される。
【００５２】
更に、本発明に於いて使用される第６の記憶手段１７に記憶されている情報の一例を図７に示す。
【００５３】
即ち、当該第６の記憶手段１７には、例えば、レンタル用のウェディングドレス及び／又はウェディングドレス関連小物類の商品番号、当該ウェディングドレスの所有者名、試着可能日時、試着可能場所、レンタル可能日時等の情報がリスト化されている。
【００５４】
以上説明した通り、本発明に於ける第１の態様にかかるウェディングドレスの販売並びにレンタルシステム１では、全ての処理がインターネットを介して実行されることになるので、低コストで効率であり、又全国的にも当該販売方法を展開する事が可能となる。
【００５５】
勿論、本発明は、マニュアル操作との併用も可能である事は明らかであるが、特にウェディングドレスの試着や修正或いは主観的な評価等に関してはウェディングドレスを扱う専門のオペレータが介入する事は有益である。
【００５６】
又、当該ウェディングドレス販売事業体１も当該ウェディングドレスレンタル事業体７も当該販売用のウェディングドレス或いはレンタル用のウェディングドレス或いはウェディングドレス関連小物類を複数個適宜の倉庫或いは展示場に保管しておき、当該保管場所内で、或いは顧客の要望に応じて特定の場所に配送して試着の便に供する事が出来る体制を有している。
【００５７】
次に、本発明に於ける第２の態様であるウェディングドレスの販売並びにレンタル方法の一具体例の構成を図９及び図１０を参照しながら詳細に説明する。
【００５８】
即ち、図１に示す通信システム１０を利用して当該ウェディングドレス及び／又はウェディングドレス関連小物類（以下単にウェディングドレス等と言う）の販売並びにレンタル方法を実施するに際し、予め図２に示す様な当該ウェディングドレス販売事業体１が販売したい複数種のウェディングドレス等に関する商品情報リストを作成し、当該第１の記憶手段１１に記憶させておく準備をしておき、スタート後、ステップＳ１に於いて、当該第１の記憶手段１１に格納してある当該ウェディングドレス販売事業体１が販売を目的として所有する複数種類のウェディングドレス等に関する商品情報からその一部若しくは全部を適宜に選択し、当該第１の記憶手段１１から適宜選択された複数種類のウェディングドレス等に関する商品データを当該通信システム１０上に公開する第１の工程が実行される。
【００５９】
次いで、ステップＳ２に於いて、ウェディングドレス等の購入希望者３から当該通信システム１０を介して当該ウェディングドレス販売事業体１にアクセスがあったか否かが判断され、ＮＯの場合には、当該ステップＳ２が繰り返されるが、ＹＥＳの場合には、ステップＳ３に進み、当該ウェディングドレス購入希望者３のアドレス情報を含む関連情報を当該ウェディングドレス販売事業体１が有するウェディングドレス購入希望者リストを記憶している第２の記憶手段１２に追加記録する第２の工程が実行され、同時に或いはそれに引き続きステップＳ４に於いて、当該ウェディングドレス購入希望者３が指定してきた購入希望のウェディングドレス等に関するレンタルサービス代行予約権付きの販売価格を含むより詳細な商品データを当該第１の記憶手段１１から選択して、当該選択された情報が当該通信システム１０を介して当該ウェディングドレス購入希望者３に配信される第３の工程が実行される。
【００６０】
その後、ステップＳ５に於いて、当該ウェディングドレス購入希望者３からの当該指定されたウェディングドレス等に関する試着希望の情報の有無が判断され、ＮＯの場合には、ＥＮＤとなるが、ＹＥＳの場合には、ステップＳ６に進み、当該ウェディングドレス販売事業体１が所有するウェディングドレス等のそれぞれに関する試着可能スケジュールを記憶している第３の記憶手段１３から当該ウェディングドレス等の試着可能日時、試着可能場所等の情報が選択決定され、当該ウェディングドレス購入希望者３に対して当該ウェディングドレス等の試着を実行する日、時間及び試着場所等を指定した指示情報が当該通信システム１０を介して配信される第４の工程が実行される。
【００６１】
その後、ステップＳ７に進み、当該ウェディングドレス購入希望者３から、当該指定された試着実行日時及び場所で試着の実行に同意する旨の情報の有無が判断され、ＮＯの場合には、ＥＮＤとなるが、ＹＥＳの場合には、ステップＳ８に進み試着が実行さる。
【００６２】
次いで、ステップＳ９に於いて当該ウェディングドレス購入希望者３による当ウェディングドレス等の試着後、当該通信システム１０を介して当該ウェディングドレス購入希望者３からの当該ウェディングドレス等の購入希望の有無が判断され、ＮＯの場合には、ＥＮＤとなるが、ＹＥＳの場合には、ステップＳ１０に進み、当該ウェディングドレス等の商品情報及びレンタルサービス代行予約権付きウェディングドレス等の販売価格等を含む販売情報が、場合によっては販売契約書の形式にして、当該通信システム１０を介して当該ウェディングドレス購入希望者３に配信される第５の工程が実行される。
【００６３】
続いて、ステップＳ１１に進み、当該ウェディングドレス購入希望者３からの当該販売情報に対する同意の情報が有ったか否かが判断され、ＮＯの場合には、ＥＮＤとなるが、ＹＥＳの場合には、ステップＳ１２に進み当該ウェディングドレス販売事業体１が管理する入出金管理システム１４に当該ウェディングドレス購入希望者３からの当該販売価格に対応する金額の入金が有ったか否かが判断され、ＮＯの場合には、ステップＳ１３に進み、当該ウェディングドレス購入希望者３に対して所定の料金を入金する様に催促し、ステップＳ１３’に於いて、再度入金が有ったか否かが判断され、ＹＥＳの場合には、ステップＳ１５に進み、ＮＯの場合にはステップＳ１４に於いて、当該催促が例えば３回目であるか否かが判断され、３回目で無ければステップＳ１２に戻るが、当該催促の回数が３回目であって、当該入金がない場合には、当該販売契約書等を破棄してＥＮＤとなる。
【００６４】
一方、当該ステップＳ１２でＹＥＳの場合には、ステップＳ１５に進み、当該ウェディングドレス販売事業体１から当該ウェディングドレス購入希望者３に対して、当該指定されたウェディングドレス等を引き渡す日時、場所を指定する指示情報が配信されそれに基づいて当該ウェディングドレス等がウェディングドレス購入希望者３への引き渡しが実行される第６の工程が実行される事になる。
【００６５】
その後、ステップＳ１６に於いて、当該ウェディングドレス購入者（つまり当該ウェディングドレスの所有者）３’と当該ウェディングドレス等の商品情報とを当該ウェディングドレス販売事業体１が有するレンタルサービス代行予約権付きウェディングドレスの所有者リストを記憶する第４の記憶手段１５に追加して記憶させておく第７の工程が実行される。
【００６６】
その後、所定の時間が経過した後、ステップＳ１７に進み、当該ウェディングドレス所有者３’から当該ウェディングドレス所有者３’の所有するウェディングドレス等をレンタルに出したいとの要請の有無が判断され、ＮＯの場合にはステップＳ１７が繰り返され、一方、ＹＥＳの場合には、ステップＳ１８に進み、当該ウェディングドレス所有者３’が当該第４の記憶手段１５に登録されているレンタルサービス代行予約権付きウェディングドレスの所有者リストに含まれているか否かを判断する第８の工程が実行される。
【００６７】
当該ステップＳ１８に於いて、ＮＯの場合にはＥＮＤとなり、ＹＥＳの場合、つまり当該ウェディングドレス等をレンタルする事を希望するウェディングドレス所有者３’が、当該第４の記憶手段１５の当該レンタルサービス代行予約権付きウェディングドレスの所有者リストに含まれている場合には、ステップＳ１９に進んで、当該通信システム１０を介して、当該ウェディングドレス販売事業体１からウェディングドレスレンタル事業体７に対して当該ウェディングドレス所有者３’の情報と当該ウェディングドレスに関する商品情報とが配信され、当該各情報がレンタル料金及び必要によりレンタル条件と共に当該ウェディングドレスレンタル事業体７がレンタルする事を目的として所有するウェディングドレス等のレンタル可能商品リストを記憶する第５の記憶手段１６に記憶される第９の工程が実行される。
【００６８】
尚、前記した様に、当該ステップＳ１８に於いて、ＮＯの場合には、直ちにＥＮＤとせずに、当該ウェディングドレス等の所有者３’が、当該ウェディングドレス販売事業体１からウェディングドレス等を購入していない場合でも、又、当該ウェディングドレス販売事業体１から過去にウェディングドレス等を購入している場合で、今回レンタルに出そうとしているウェディングドレス等は、当該ウェディングドレス販売事業体から購入していない場合等に付いては、本発明に係る以後のレンタルシステムに乗せるか否か又その際のレンタル料金をどの様に設定するかは当該ウェディングドレス販売事業体の判断に委ねられるが、本発明の対象ではない。
【００６９】
その後、ステップＳ２０に進み、当該ウェディングドレスレンタル事業体７が所有する当該第５の記憶手段１６に記憶されているレンタル可能なウェディングドレス等の商品情報が当該通信システム１０上で公開される第１０の工程が実行される。
【００７０】
次いで、ステップＳ２１に進み、ウェディングドレス等のレンタル希望者５からのアクセスが有ったか否かが判断され、ＮＯの場合には当該ステップＳ２１が繰り返されるが、ＹＥＳの場合には、ステップＳ２２に進んで、当該ウェディングドレス等レンタル希望者５がレンタルを希望する所定のウェディングドレス等に関する商品情報の詳細をレンタル料を含めて当該第５の記憶手段１６から選択されて、その情報が当該ウェディングドレスレンタル希望者５に当該通信システム１０を介して配信される第１１の工程が実行される。
【００７１】
その後、ステップＳ２３に於いて、当該ウェディングドレス等のレンタル希望者５からの当該指定されたウェディングドレス等に関する試着希望の情報の有無が判断され、ＮＯの場合には、ＥＮＤとなるが、ＹＥＳの場合には、ステップＳ２４に進んで、当該ウェディングドレスレンタル事業体７が有する所定のレンタル用のウェディングドレス等のそれぞれに関する試着可能スケジュールを記憶している第６の記憶手段１７から当該ウェディングドレス等の試着可能日時、試着可能場所等の情報が選択決定され、且つ当該ウェディングドレスレンタル事業体７が有する所定のウェディングドレス等のそれぞれに関するレンタル可能スケジュールを記憶している第７の記憶手段１８から当該ウェディングドレス等のレンタル可能日時、貸し出し可能場所が選択決定され、当該ウェディングドレスレンタル希望者５に対して当該ウェディングドレス等の試着を実行する日、時間及び試着場所を指定した指示情報並びにレンタル可能日時及び貸し出し場所を指定した指示情報等が当該通信システム１０を介して配信される第１２の工程が実行される。
【００７２】
次いで、ステップＳ２５に進み、当該ウェディングドレスレンタル希望者５から、当該指定された試着実行日時及び場所で試着の実行に同意する旨の情報の有無が判断され、ＮＯの場合には、ＥＮＤとなるが、ＹＥＳの場合には、ステップＳ２６に進み試着が実行さる。
【００７３】
次いで、ステップＳ２７に於いて当該ウェディングドレスレンタル希望者５による当ウェディングドレス等の試着後、当該通信システム１０を介して当該ウェディングドレスレンタル希望者５からの当該ウェディングドレス等のレンタル希望の有無が判断され、ＮＯの場合には、ＥＮＤとなるが、ＹＥＳの場合には、ステップＳ２８に進み、当該通信システム１０を介して当該ウェディングドレス等のレンタル実行日時並びにレンタル場所或いはレンタル条件及びレンタル料金等に関する指定情報が、場合によってはレンタル契約書の形式にして、当該通信システムを介して当該ウェディングドレスレンタル希望者５に配信される第１３の工程が実行される。
【００７４】
その後、ステップＳ２９に進んで、当該ウェディングドレスレンタル希望者５からの当該レンタル条件、レンタル料金等を含むレンタル情報に対する同意の情報が有ったか否かが判断され、ＮＯの場合には、ＥＮＤとなるが、ＹＥＳの場合には、ステップＳ３０に進み当該ウェディングドレスレンタル事業体７が管理する入出金管理システム１４に当該ウェディングドレスレンタル希望者５からの当該レンタル料金に対応する金額の入金が有ったか否かが判断され、ＮＯの場合には、ステップＳ３１に進み、当該ウェディングドレスレンタル希望者５に対して所定の料金を入金する様に催促し、ステップＳ３１’に進み，再度入金が有ったか否かが判断され、ＹＥＳの場合にはステップＳ３３に進むが、ＮＯの場合には、ステップＳ３２に於いて、当該催促が例えば３回目であるか否かが判断され、３回目で無ければステップＳ３０に戻るが、当該催促の回数が３回目であって、当該入金がない場合には、レンタル契約を破棄してＥＮＤとなる。
【００７５】
一方、当該ステップＳ３０でＹＥＳの場合には、ステップＳ３３に進み、当該ウェディングドレスレンタル事業体７に於いて当該ウェディングドレスレンタル希望者５からのレンタル料金の入金が当該通信システム１０を介して入出金管理システム１４において確認された事から、当該ウェディングドレス等のレンタルを当該ウェディングドレスレンタル希望者５に対して実行する為の貸し渡し日時、場所等の情報を含む指示情報が当該通信システム１０を介して当該ウェディングドレスレンタル希望者５に配信されると共に、当該ウェディングドレスのレンタルが実施される第１４の工程が実行される。
【００７６】
その後、ステップＳ３４に於いて、当該レンタルされたウェディングドレス等が当該レンタル期間経過後に、当該ウェディングドレスレンタル事業体７に返却された事を確認した後、ステップＳ３５に進み、当該ウェディングドレス等のレンタルの実行に応答して、当該ウェディングドレスレンタル事業体７が有する当該第５の記憶手段１６から、当該ウェディングドレス等の所有者３’の情報が選択され、当該ウェディングドレスレンタル事業体７から直接或いは当該ウェディングドレス販売事業体１を介して当該選択されたウェディングドレス等所有者３’のアドレスに対して当該ウェディングドレスのレンタル情報が当該通信システムを介して配信されると共に、当該入出金管理システム１４を介して、当該ウェディングドレス等に関する当該レンタル契約で設定されているレンタル料金が当該ウェディングドレス等所有者３’の予め指定された銀行口座に送金される第１５の工程が実行される。
【００７７】
次いで、当該第１５の工程の一環として、ステップＳ３６に進んで、その後に於ける当該ウェディングドレス等のレンタル状況に関して定期的に当該ウェディングドレスレンタル事業体から当該ウェディングドレス等の所有者でレンタル代行を依頼している所有者に報知して、当該ウェディングドレス等の所有者の関心を高める事が望ましい。
【００７８】
即ち、具体的にはステップＳ３６に於いては、当該レンタル可能なウェディングドレス等として指定されている当該ウェディングドレス等に関し、レンタルに至らなかった場合でも、当該ウェディングドレス等に対する当該ウェディングドレスレンタル希望者５からのアクセスが何回か有ったと言う情報或いは、当該ウェディングドレスを何回か試着まで行われたと言う情報、或いはレンタル料金が、使用回数、使用状態等により低減を余儀なくされることから、次回の予想レンタル料金の概要等が当該ウェディングドレス所有者３’に対してフィードバックされる事は望ましい具体例である。
【００７９】
その後、ステップＳ３７に於いて、当該ウェディングドレス所有者３’から当該ウェディングドレス等のレンタル利用を中止するか否かの有無が判断され、ＮＯの場合には、ステップＳ２０に戻って、上記したレンタルサービスに関する当該第１０の工程から当該第１５の工程までの各工程が繰り返される第１６の工程が実行され、ＹＥＳの場合には、ステップＳ３８に進んで、当該ウェディングドレスレンタル事業体１が所有する当該第５の記憶手段１６における当該レンタル可能ウェディングドレス等の商品番号及び当該ウェディングドレス等の所有者３’リストから当該商品番号及び当該ウェディングドレス所有者３’の情報を削除する、第１７の工程が実行されてＥＮＤとなる。
【００８０】
当該ステップＳ３８に於いて、当該ウェディングドレス等の所有者３’が、自己で所有する当該ウェディングドレス等をレンタルする事を中止する場合には、当該ウェディングドレス等を当該ウェディングドレス等の所有者３’に返却するか、焼却するか、或いは、例えば、最新のレンタル料金で売却する等の方法が可能である。
【００８１】
更に、本発明に於いて比較的重要な事項は、当該ウェディングドレス等のレンタル条件及びレンタル料金の設定である。
【００８２】
係る条件及び料金は、予め当該ウェディングドレスレンタル事業体７と当該ウェディングドレス等の所有者３’との間で個別的に決定される事が望ましい。
【００８３】
係る工程は、上記したステップＳ１９或はステップＳ２０前後で実行されることが望ましい。
【００８４】
当該レンタル条件としては、例えば、当該ウェディングドレス等の使用をホテル内に限定する、ホテル内およびホテルの庭迄認める、教会内のみ認める、海外は認めない等の条件を設定出来る様にしておく事も可能である。
【００８５】
勿論、レンタルに際して当該条件を付けないウェディングドレス等の所有者も有り得る。
【００８６】
レンタル条件を付ける場合には、当該制限の無い場合に比べてレンタル料金は低く設定されることにもなるし、レンタル回数が低迷することもありうる。
【００８７】
一方、当該レンタル料金は、その商品の特性によってかなり異なった額になる場合があり、又同一の商品であっても、汚れ、傷の有無、製作年等の要素によっても大きく差が発生する事もあり、当該ウェディングドレスレンタル事業体側で標準的なレンタル料金を設定している場合であっても、個々にその状況を勘案して決定される事が望ましい。
【００８８】
即ち、当該ウェディングドレス等のレンタル料金は、当該ウェディングドレス等の汚れ状態、破損状態、製作年月日からの経年年数等によって大きく異なってくる外、レンタル回数によっても異なってくるがいずれにしても、レンタル料金は、初回の料金から徐々に低下する事は避けられないことであり、ステップＳ３５で一旦当該レンタルが完了した時点で、次のレンタル料を幾らにするかを当該ウェディングドレス等の所有者と当該ウェディングドレスレンタル事業体との間で交渉が行われることが望ましい。
【００８９】
その結果によっては、当該ウェディングドレス等の所有者は、当該ウェディングドレス等をレンタルに出す事を継続させるか否かを判断する際の重要な情報となる。
【００９０】
又、同じタイプで同じ程度の特性を持つウェディングドレス等が複数個同時にレンタルに公開されている場合には、競合が生じる為、レンタル料が安い方にレンタルの注文が出されやすく、従って、上記交渉の際には、かかる状況も勘案する事が必要となる。
【００９１】
その他、例えば、当該ウェディングドレスのサイズが標準タイプを外れている場合には、当該ウェディングドレスに対してレンタルの注文が出されにくい状況となり、当該ウェディングドレスの寸法を調節修正して、標準タイプに作り直す事によって、レンタルの注文が出やすくなる場合もあるので、当該ウェディングドレスの所有者が、係るウェディングドレスの修正に応じるか否かも当該交渉時には、必要になってくる。
【００９２】
又、上記したレンタル条件の緩和も当該ウェディングドレスに対するレンタルの注文が出されやすくなる環境が創設される事になる。
【００９３】
一方、本発明に係る第３の態様は、上記したウェディングドレス等の販売並びにレンタル方法の各工程をコンピュータに実行させる為のプログラムである。
【００９４】
又、本発明に係る第４の態様は、ウェディングドレス等の販売並びにレンタル方法を実現させる為の処理装置３０であって、当該処理装置３０は、図１１に示す様に、ウェディングドレス販売システム制御回路部３１とウェディングドレスレンタルシステム制御回路部３２とが適宜の通信制御回路部３３を介して、ウェディングドレス購入希望者３若しくはウェディングドレス購入者３’の通信端末４と適宜の通信システムを介して接続されていると共に、ウェディングドレスレンタル希望者とも適宜の通信システム１０を介して接続されており、且つ当該ウェディングドレス販売システム制御回路部３１には、当該ウェディングドレス販売事業体１が販売を目的として所有する複数種類のウェディングドレスに関する商品情報並びにレンタルサービス代行予約権付きの販売価格を記憶している第１の記憶手段１１、ウェディングドレス購入希望者のアドレス情報を含む関連情報を記憶する第２の記憶手段１２、当該ウェディングドレス販売事業体１が所有するウェディングドレス等のそれぞれに関する試着可能スケジュールを記憶している第３の記憶手段１３及びウェディングドレス購入希望者３若しくはウェディングドレス購入者３’に関する情報と当該ウェディングドレス等の商品情報とを含むレンタルサービス代行予約権付きウェディングドレスの所有者リストを記憶する第４の記憶手段１５とが設けられており、当該ウェディングドレスレンタルシステム制御回路部３２には、当該ウェディングドレスレンタル事業体７がレンタルする事を目的として所有するウェディングドレスレンタル可能商品リストを記憶する第５の記憶手段１６、当該ウェディングドレスレンタル事業体が有する所定のウェディングドレス等のそれぞれに関する試着可能スケジュールを記憶している第６の記憶手段１７及び当該ウェディングドレスレンタル事業体７が有する所定のウェディングドレス等のそれぞれに関するレンタル可能スケジュールを記憶している第７の記憶手段１８とが設けられており、更に当該通信制御部３３は当該ウェディングドレス販売事業体１及び当該ウェディングドレスレンタル事業体７が所有するサーバー２、８で有っても良く、更に当該通信制御部３３には、当該ウェディングドレス販売事業体１及び当該ウェディングドレスレンタル事業体７が管理制御する入出金管理処理部１４が設けられており、且つ上記したそれぞれの当該制御回路部及び当該処理部等を集中的に制御する中央演算回路３４を有しているウェディングドレスの販売並びにそのレンタル実行処理装置３０である。
【図面の簡単な説明】
【００９５】
【図１】図１は、本発明に於ける当該ウェディングドレスの販売並びにレンタルシステムの一具体例の構成を示すダイアグラム図である。
【図２】図２は、本発明に於いて使用される第１の記憶手段に記憶される情報の例を示す図である。
【図３】図３は、本発明に於いて使用される第２の記憶手段に記憶される情報の例を示す図である。
【図４】図４は、本発明に於いて使用される第３の記憶手段に記憶される情報の例を示す図である。
【図５】図５は、本発明に於いて使用される第４の記憶手段に記憶される情報の例を示す図である。
【図６】図６は、本発明に於いて使用される第５の記憶手段に記憶される情報の例を示す図である。
【図７】図７は、本発明に於いて使用される第６の記憶手段に記憶される情報の例を示す図である。
【図８】図８は、本発明に於いて使用される第８の記憶手段に記憶される情報の例を示す図である。
【図９】図９は、本発明に於けるウェディングドレスの販売並びにレンタル方法の一具体例に於ける手順を説明するフローチャートである。
【図１０】図１０は、本発明に於けるウェディングドレスの販売並びにレンタル方法の一具体例に於ける手順を説明するフローチャートである。
【図１１】図１１は、本発明に於けるウェディングドレスの販売並びにレンタル方法を実行するための処理装置の一具体例の構成を説明するブロック図である。
【符号の説明】
【００９６】
１．      ウェディングドレス販売事業体
２．      通信端末２
３．      ウェディングドレス購入希望者
３’      リストから当該ウェディングドレス購入者、所有者
４．      通信端末
５．      ウェディングドレスレンタル希望者
６．      通信端末
７．      ウェディングドレスレンタル事業体
８．      通信端末
９．      通信システム
１０．    通信システム
１１．    第１の記憶手段
１２．    第２の記憶手段
１３．    第３の記憶手段
１４．    入出金管理システム
１５．    第４の記憶手段
１６．    第５の記憶手段
１７．    第６の記憶手段
１８．    第７の記憶手段
３０．    ウェディングドレスの販売並びにレンタル処理装置
３１．    ウェディングドレス販売システム制御回路部
３２．    ウェディングドレスレンタルシステム制御回路部
３３．    通信制御部
３４．    中央演算回路
【図１】
2007299111.tif 000003
【図２】
2007299111.tif 000004
【図３】
2007299111.tif 000005
【図４】
2007299111.tif 000006
【図５】
2007299111.tif 000007
【図６】
2007299111.tif 000008
【図７】
2007299111.tif 000009
【図８】
2007299111.tif 000010
【図９】
2007299111.tif 000011
【図１０】
2007299111.tif 000012
【図１１】
2007299111.tif 000013